(57)【要約】【課題】  低背化に有利であって、取付け、取外しに強いフラットケーブル用のコネクタを提供する。【解決手段】  このコネクタ１は、ハウジング１０と、複数のコンタクト２０と、補強板３０とを備えている。ハウジング１０には、補強板３０に向かって立設した鉤部１２を有する。また、このコネクタ１は、補強板３０に矢印Ｃ，Ｄ方向にスライド自在に支持されたロックバー４０を有する。ロックバー４０が矢印Ｃの向きに移動したロック位置にあるときに、鉤部１２がロックバー４０に係止される。ロックバー４０を矢印Ｄの向きに取外し位置まで移動させると、鉤部１２をロックバー４０から外すことができる。【選択図】        図２
2015046356.tif 000002
【特許請求の範囲】
【請求項１】
複数の配線が配列されたフラットケーブルの一端部が押し当てられて該複数の配線それぞれが接続される複数のコンタクトと、
前記複数のコンタクトを支持すると共に基板に固定されるハウジングと、
前記フラットケーブルの前記一端部に、該一端部を前記ハウジングとの間に挟むように固定される補強板とを備えたコネクタであって、
前記ハウジングが、前記補強板に向かって突出し先端部が折れ曲がった鉤部を備え、
当該コネクタがさらに、前記補強板に摺動自在に支持され、前記鉤部に係止して、前記補強板に、前記フラットケーブルの前記一端部を前記ハウジングに向かって押圧させるロック位置と、前記摺動により該補強板を該ハウジングから取り外す取外し位置との間で移動するロックバーを備えたことを特徴とするコネクタ。
【請求項２】
前記補強板が、前記ロック位置に移動した前記ロックバーを受け入れ、該ロックバーが、前記取外し位置に移動させる向きの所定以上の強さの力を受けたときに、該ロックバーの、該取外し位置への移動を許容するロック溝を有することを特徴とする請求項１記載のコネクタ。
【請求項３】
前記鉤部が、前記ハウジングの、前記複数の配線の配列方向両端部それぞれに備えられ、
前記ロックバーが、前記補強板の、前記複数の配線の配列方向両端部にそれぞれ備えられていることを特徴とする請求項１又は２記載のコネクタ。
【発明の詳細な説明】
【技術分野】
【０００１】
本発明は、フラットケーブルを回路基板に接続するコネクタに関する。
【背景技術】
【０００２】
従来より、フレキシブルフラットケーブル（ＦＦＣ：Ｆｌｅｘｉｂｌｅ  Ｆｌａｔ  Ｃａｂｌｅ）やフレキシブルプリント回路（ＦＰＣ：Ｆｌｅｘｉｂｌｅ  Ｐｒｉｎｔｅｄ  Ｃｉｒｃｕｉｔ）に代表されるフラットケーブルを回路基板に接続するためのコネクタが知られている。
【０００３】
例えば、特許文献１には、ＦＰＣ接続用の電気コネクタが示されている。この電気コネクタに接続されるＦＰＣの端部には、金属製の補強板が接合されている。電気コネクタには、ＦＰＣを固定するための一対の固定金具が設けられている。固定金具は、ＦＰＣの両サイドに相当する部分に立設している。電気コネクタの、一対の固定金具の間の領域にＦＰＣを押し込むと、固定金具がＦＰＣおよび補強板に押し退けられて弾性的に変形する。ＦＰＣが完全に押し込まれると、固定金具が変形から復帰して固定金具の上面に係止する。
【０００４】
しかしながら、この特許文献１の電気コネクタは、固定金具がＦＰＣに接合された補強板の上面に係止する構造を有するため、電気コネクタが高背化するという問題がある。
【０００５】
また、特許文献２には、フラットケーブル用ではないが、撓みの少ない、いわゆるディテントロック機構を有するコネクタが開示されている。フラットケーブル用のコネクタに、このディテントロック機構を採用すると低背化に有利である。
【０００６】
しかしながら、このディテントロック機構は撓み量が確保できず、フラットケーブルを回路基板から取り外す際に大きな抜去力を必要とする。また、着脱を繰り返すとロック部に削れが生じ、確実なロックが困難になったり、あるいはロック自体が不能になるおそれがある。
【先行技術文献】
【特許文献】
【０００７】
【特許文献１】実開平６−６００８１号公報
【特許文献２】実開平６−１５２７６号公報
【発明の概要】
【発明が解決しようとする課題】
【０００８】
本発明は、上記事情に鑑み、低背化に有利であって、取付け、取外しに強いフラットケーブル用のコネクタを提供することを目的とする。
【課題を解決するための手段】
【０００９】
上記目的を達成する本発明のコネクタは、
複数の配線が配列されたフラットケーブルの一端部が押し当てられてそれら複数の配線それぞれが接続される複数のコンタクトと、
それら複数のコンタクトを支持すると共に基板に固定されるハウジングと、
フラットケーブルの一端部に、その一端部をハウジングとの間に挟むように固定される補強板とを備えたコネクタであって、
ハウジングが、補強板に向かって突出し先端部が折れ曲がった鉤部を備え、
このコネクタがさらに、補強板に摺動自在に支持され、鉤部に係止して、補強板に、フラットケーブルの一端部をハウジングに向かって押圧させるロック位置と、摺動によりその補強板をハウジングから取り外す取外し位置との間で移動するロックバーを備えたことを特徴とする。
【００１０】
本発明のコネクタは、上記の鉤部を備え、さらに、ロック位置と取外し位置との間で移動するロックバーを備えている。このため、ロック位置にあるロックバーにより、確実にロックされるとともに、そのロックバーを取外し位置に移動させることで、フラットケーブルを容易に取り外すことができる。この構造の場合、ディテントロック機構を採用しても取付け取外しに強く、低背化に有利である。
【００１１】
ここで、本発明のコネクタにおいて、上記補強板が、前記ロック位置に移動したロックバーを受け入れ、そのロックバーが、取外し位置に移動させる向きの所定以上の強さの力を受けたときに、ロックバーの、取外し位置への移動を許容するロック溝を有することが好ましい。
【００１２】
ハウジングに上記のロック溝を形成すると、ロックが不用意に外れることが防止される。
【００１３】
また、本発明のコネクタにおいて、
上記鉤部が、ハウジングの、複数の配線の配列方向両端部それぞれに備えられ、上記ロックバーが、補強板の、複数の配線の配列方向両端部にそれぞれ備えられていることが好ましい。
【００１４】
鉤部およびロックバーを両端部に備えて両端部でロックすることにより、一層確実なロックが実現する。
【発明の効果】
【００１５】
以上の本発明のコネクタによれば、低背化に有利であって、取付け、取外しに強いフラットケーブル用のコネクタが実現する。
【図面の簡単な説明】
【００１６】
【図１】本発明の一実施形態としてのコネクタの斜視図である。
【図２】図１に示すコネクタの分解斜視図である。
【図３】図１，図２に示すコネクタの、補強板がフラットケーブルに接着されている状態を示した分解斜視図である。
【図４】ロックバーがロック位置にあるときのコネクタの平面図である。
【図５】ロックバーを取外し位置に移動させた状態のコネクタの平面図である。
【図６】ロックバーを取外し位置に移動させた状態のコネクタの斜視図である。
【発明を実施するための形態】
【００１７】
以下、本発明のコネクタの実施の形態を説明する。
【００１８】
図１は、本発明の一実施形態としてのコネクタの斜視図である。
【００１９】
また、図２は、図１に示すコネクタの分解斜視図である。
【００２０】
このコネクタ１は、図２に示すように、ハウジング１０、配列された複数のコンタクト２０、および補強板３０を備えている。そして、フラットケーブル１００がハウジング１０と補強板３０とに挟まれた構造を有する。
【００２１】
これら図１，図２において、フラットケーブル１００は、図示の繁雑さを避けるために、一端部のみ示されている。このフラットケーブル１００には複数の配線（不図示）が配列されている。そしてこのフラットケーブル１００の、図示の一端部の、ハウジング１０側を向いた面には、１つ１つが複数の配線の１本１本にそれぞれ対応する複数の端子パターン（不図示）が形成されている。このフラットケーブル１００は図１に示すように、ハウジング１０と補強板３０とに挟まれる。このように挟まれると、フラットケーブル１００の一端部に形成されている複数の端子パターンのそれぞれが、配列された複数のコンタクト２０のそれぞれに押し当てられて電気的に導通した状態となる。
【００２２】
複数のコンタクト２０のそれぞれは、ハウジング１が実装される回路基板（不図示）の表面に半田付けされる形状を有し、ハウジング１０、およびそのハウジング１０に支持されている複数のコンタクト２０は、回路基板に固定される。
【００２３】
ハウジング１０には、一対のボス１１が立設している。一方、フラットケーブル１００および補強板３０の、その一対のボス１１に対応する位置に、それぞれ一対の穴１０１，３１が形成されている。図１に示すように、補強板３０が、その補強板３０とハウジング１０との間にフラットケーブル１００を挟むようにしてハウジング１０に取り付けられると、ハウジング１０のボス１１がそれらの穴１０１，３１に嵌入する。この嵌入により、フラットケーブル１００や補強板３０がハウジング１０に対して不用意に動くことが防止される。
【００２４】
また、ハウジング１０の一長辺の端部には、補強板３０に向かって立設し、先端部がフラットケーブル１００の延びる向き（図１，図２に示す矢印Ａの向き）に折れ曲がった形状の、左右一対の第１の鉤部１２が形成されている。またこのハウジング１０の反対側の長辺の端部に、補強板３０に向かって立設し、先端部がフラットケーブル１００から離れる向き（図１，図２に示す矢印Ａの向き）に折れ曲がった形状の、左右一対の第２の鉤部１３（例えば図６参照）が設けられている。
【００２５】
また、このコネクタ１０はさらに、左右一対のロックバー４０を備えている。これらのロックバー４０は、補強板３０に支持され、互いに離れる向き（矢印Ｃに示す向き）、および互いに近づく向き（矢印Ｄに示す向き）にスライド自在となっている。
【００２６】
これらのロックバー４０は、図１，図２では、互いに離れる矢印Ｃの向きにスライドした位置にある。ここでは、この位置をロック位置と称する。これに対し、これらのロックバー４０を矢印Ｄの向きにスライドさせると、ロックバー４０は取外し位置に移動する。
【００２７】
補強板３０には、後述する図５にあらわれているように、ロック位置にあるロックバー４０を受け入れるロック溝３２と取外し位置にあるロックバー４０を受け入れる取外し溝３３とを有し、それらロック溝３２と取外し溝３３との間に突条３４が形成されている。
【００２８】
このため、このロックバー４０は、ロック位置にあるときにはそのロック位置に固定され、取外し位置に移動させる向きの所定以上の強さの力を受けると取外し位置に移動する。これと同様に、このロックバー４０は、取外し位置にあるときにロック位置に移動する向きの所定以上の強さの力を受けてロック位置に移動する。これにより、ロックバー４０はロック位置あるいは取外し位置にあるときにその位置に安定的に保持される。
【００２９】
図３は、図１，図２に示すコネクタの、補強板がフラットケーブルに接着されている状態を示した分解斜視図である。
【００３０】
このコネクタ１は、図１，図２に示すように左右対称の構造を有するため、この図３以降の各図では、図示の繁雑さを避けるため、このコネクタ１の半分（片側）のみ示されている。
【００３１】
図２には、補強板３０とフラットケーブル１００は、別々に離れた状態の分解斜視図が示されている。ただし、使用段階では、図３に示すように、補強板３０はフラットケーブル１００に例えば接着剤で接着固定された状態となっている。したがって、このコネクタ１は、補強板３０をハウジング１０に取り付けることが、すなわち、フラットケーブル１００の端子パターンをコンタクト２０に押し当てることを意味している。また、これと同様に、補強板３０をハウジング１０から取り外すことが、すなわち、フラットケーブル１００の端子パターンとコンタクト２０との接触を断つことを意味している。
【００３２】
図４は、ロックバーがロック位置にあるときの、このコネクタの平面図である。この図４には、ロックバー４０の、補強板３０に隠れた部分が点線で示されている。
【００３３】
このコネクタ１の補強板３０は、ロックバー４０をこの図４に示すロック位置に配置した状態でハウジング１０に上から押し当てられる。すると、ロックバー４０が多少撓んで第１の鉤部１２がそのロックバー４０に係止する。また、この補強板３０には、第２の鉤部１３が下から差し込まれる穴３５が形成されている。補強板３０がハウジング１０に上から押し当てられると、第２の鉤部１３はその穴３５に入り込んで補強板３０に係止する。
【００３４】
補強板３０は、このようにしてハウジング１０に対し安定的にロックされる。このロックされた状態では、フラットケーブル１００は補強板３０によってコンタクト２０にしっかりと接触するように押圧されている。
【００３５】
図５，図６は、ロックバーを取外し位置に移動させた状態の、コネクタの、それぞれ平面図および斜視図である。
【００３６】
図４に示す、ロック位置にあるロックバー４０が矢印Ｄに示す向きの力を受けると、そのロックバー４０が補強板３０のロック溝３２から外れ突条３４を乗り越えて取外し溝３３に移動する。ロックバー４０には、この移動方向に対し斜めに延びる部分４１を有する。ロックバー４０が取外し位置に移動すると、その斜めに延びる部分４１が第１の鉤部１２の位置に移動する。すなわち、ロックバー４０を取外し位置に移動させると、第１の鉤部１２は、ロックバー４０からほぼ外れかかった状態となる。この状態で補強板３０をハウジング１０から引き離すように上に持ち上げると、第１の鉤部１２がロックバー４０から外れる。また、この際に第２の鉤部１３も補強板３０から外れて、補強板３０がハウジング１０から取り外される。この取外しは、ロックバー４０を取外し位置に移動させることによって第１の鉤部１２をロックバー４０からほぼ外れかかった状態にして行なわれる。このため、この取外しによって第１の鉤部１２や第２の鉤部１３が削れてしまうことが防止される。すなわち、取付け、取外しを繰り返してもロックの保持力が弱くなったり、ロックできないという事態の発生が防止される。また、この構成によれば、第１の鉤部１２や第２の鉤部１３には大きなスペースを要する撓みは不要であり、その高さ寸法が短くて済み、コネクタ１の低背化が実現する。
【００３７】
尚、この実施形態のコネクタ１の場合、ロックバー４０を、図５，図６に示す取り外し位置に移動させた状態において、第１の鉤部１２はロックバー４０から外れかかってはいるが完全には外れていない。ロックバー４０のスライドのストロークを大きくできるときは、ロックバー４０を取外し位置に移動させたときに第１の鉤部１２とロックバー４０との係合が完全に外れるように構成してもよい。
【符号の説明】
【００３８】
１    コネクタ
１０    ハウジング
１１    ボス
１２，１３    鉤部
２０    コンタクト
３０    補強板
３１，３５，１０１    穴
３２    ロック溝
３３    取外し溝
３４    突条
４０    ロックバー
４１    斜めに延びる部分
１００    フラットケーブル
２００    回路基板
【図１】
2015046356.tif 000003
【図２】
2015046356.tif 000004
【図３】
2015046356.tif 000005
【図４】
2015046356.tif 000006
【図５】
2015046356.tif 000007
【図６】
2015046356.tif 000008